(57)【特許請求の範囲】
【請求項１】
ねずみの入口９を有する捕獲箱１と、
入口９を開閉するシャッター１０と、
捕獲箱１の内部に、水平軸２３まわりに水平姿勢と傾斜姿勢とにわたって上下揺動自在に片持ち支持された踏み板２２と、
シャッター１０の開き状態で該シャッター１０に係合して該シャッター１０を開き位置に停止保持するロック姿勢と、該シャッター１０の閉じ状態で該シャッター１０から外れるアンロック姿勢とにわたって支軸２０まわりに回動自在な開きロック部材１７と、
開きロック部材１７と踏み板２２とを連結した連結部材２４と、
開きロック部材１７をロック姿勢に回動付勢するとともに、開きロック部材１７および連結部材２４を介して踏み板２２を水平姿勢に牽引付勢する開きロック用ばね２１と、を備えており、
踏み板２２は、ねずみの体重が加えられることにより水平軸２３まわりに下方揺動して傾斜するよう設定してあり、
連結部材２４は、踏み板２２に直立状態に固定された連結杆２５と、この連結杆２５の上端部と開きロック部材１７の先端側とを連結した可撓性部材２６とからなり、踏み板２２の下方揺動を開きロック部材１７のアンロック姿勢に伝動変換するように構成してあるねずみ捕獲器。
【請求項２】
シャッター１０を閉じ付勢する閉じ用ばね１２を備えている請求項１記載のねずみ捕獲器。
【請求項３】
捕獲箱１の内部に、ねずみ収納ケース２７を出し入れ可能にに配備してあり、
ねずみ収納ケース２７は捕獲箱１の内部に臨む入口２９を有し、この入口２９は、入口２９の外側のみから押し開き可能な閉止板３１で塞がれており、 閉止板３１を閉じロックするための安全ロック機構を備えている請求項１又は２記載のねずみ捕獲器。
【請求項４】
捕獲箱１の外部に、ねずみ収納ケース２７を脱着自在に装着してあり、
ねずみ収納ケース２７は捕獲箱１に装着状態で捕獲箱１の内部に臨む入口２９を有し、この入口２９は、入口２９の外側のみから押し開き可能な閉止板３１で塞がれている請求項１又は２記載のねずみ捕獲器。
【発明の詳細な説明】
【０００１】
【発明の属する技術分野】
本発明は、ねずみ捕獲器の改良に関する。
【０００２】
【従来の技術】
ねずみ捕獲器は、例えば、実公昭６３−３１５８７号公報に公知である。これは、図１１に示すように、捕獲箱６０にねずみの入口６１を設けたものである。入口６１は、縦溝６２に沿って上下動自在なシャッター６３で開閉する。捕獲箱６０の底部には踏み板６４を水平軸６５まわりに上下揺動自在に設ける。踏み板６４の水平軸６５より後方の基端には踏み板６４を水平姿勢に付勢する重り６６を固着し、水平軸６５より前方の先端には餌差し用釘６７を立設している。また捕獲箱６０の一側板６８の内面には縦方向の案内溝６９に沿って上下動自在な作動板７０と、左右横方向の案内溝７１に沿って左右横方向に摺動自在な左右一対の摺動板７２・７３とが配備される。作動板７０は、これの上端部の左右に上向き傾斜部７０ａ・７０ｂを設け、作動板７０の下端部を踏み板６４の先端部の一側に枢軸７４を介して回動自在に枢支連結している。摺動板７２・７３は、一端にシャッター６３を開き姿勢に保持するピン７５を備え、他端に前記上向き傾斜部７０ａ・７０ｂと当接する下向き傾斜部７２ａ・７３ａを形成していて、押ばね７６によって作動板７０方向へ常に押圧付勢されている。踏み板６４は、重り６６と左右の摺動板７２・７３とで水平姿勢に保持されている。
【０００３】
いま、シャッター６３を持ち上げ、これの下端に設けた係止片７７を摺動板７３のピン７５に係合させることで、入口６１が開けられてこの開き状態が保持される。この開き状態の入口６１からねずみが侵入して踏み板６４上に載ると、水平姿勢の踏み板６４はねずみの加重で水平軸６５まわりに下方揺動して傾斜する。この傾斜に伴い作動板７０が引き下げられ、左右の摺動板７２・７３が押ばね７６で作動板７０方向へ摺動してピン７５を同方向に移動させる。このピン７５の移動によりシャッター６３が自重で降下して入口６１を閉じ、ねずみは捕獲箱６０内に捕獲される。
【０００４】
【発明が解決しようとする課題】
ねずみは習性上用心深く、特に親ねずみは警戒心が強いため、入口６１に侵入する前に捕獲箱６０全体を揺振ったり、押し動かすことがある。こうした場合、作動板７０の上向き傾斜部７０ａ・７０ｂに作用する押ばね７６および摺動板７２・７３の押圧力の分力が下向きに作用しており、またシャッター６３が自重で閉じる構成になっている上記ねずみ捕獲器では、捕獲箱６０の揺れ動き、特に上下振動によって作動板７０の下降を助長することになり、この下降により摺動板７２・７３が作動板７０方向へ動きやすく、この動きに伴いシャッター６３が不測に閉じてしまい、折角の捕獲機会を失ってしまうおそれがある。また、自重のみで閉じる型式のシャッター６３では、縦溝６２内でそのこじれが生じやすいため、完全に閉じず、半開き状態になることがあり、捕獲したねずみを逃がしてしまうという問題もあった。さらに、捕獲したねずみは、捕獲箱６０ごと水の中に沈めてれき死させた後、捕獲箱６０から取り出すが、この取り出し時にねずみの死骸が見えて不快感を与え、またねずみに触れるおそれがあった。
【０００５】
そこで本発明の目的は、上記のような、捕獲箱内において踏み板に加えられるねずみの荷重によりシャッターが自動的に閉じられる型式のねずみ捕獲器において、シャッターの開き保持手段に改善を加えることにより、捕獲箱が少々揺振られるようなことがあっても不用意にシャッターが閉じることがなく、捕獲ロスの少ないねずみ捕獲器を提供することにある。本発明の目的は、捕獲ねずみを手に触ることなく簡単に処理できる捕獲器を提供することにある。
【０００６】
【課題を解決するための手段】
本発明のねずみ捕獲器は、図１ないし図３に示すごとく、ねずみの入口９を有する捕獲箱１と、入口９を開閉するシャッター１０と、シャッター１０を閉じ付勢する閉じ用ばね１２と、捕獲箱１の内部に、水平軸２３まわりに水平姿勢と傾斜姿勢とにわたって上下揺動自在に片持ち支持された踏み板２２と、シャッター１０の開き状態で該シャッター１０に係合して該シャッター１０を開き位置に停止保持するロック姿勢と、該シャッター１０の閉じ状態で該シャッター１０から外れるアンロック姿勢とにわたって支軸２０まわりに回動自在な開きロック部材１７と、開きロック部材１７と踏み板２２とを連結した連結部材２４と、開きロック部材１７をロック姿勢に付勢するとともに、開きロック部材１７および連結部材２４を介して踏み板２２を水平姿勢に付勢する開きロック用ばね２１とを備える。そのうえで、踏み板２２は、ねずみの体重が加えられることにより水平軸２３まわりに下方揺動して傾斜するよう設定する。連結部材２４は、踏み板２２の下方揺動を開きロック部材１７のアンロック姿勢に伝動変換するように構成する。
【０００７】
捕獲箱１の内部または外部には、更にねずみ収納ケース２７を脱着自在に装着する。このねずみ収納ケース２７は捕獲箱１に装着状態で捕獲箱１の内部に臨む入口２９を有し、この入口２９は、入口２９の外側のみから押し開き可能な閉止板３１で塞がれる。
【０００８】
【作用】
シャッター１０はこれに開きロック部材１７を係合することで開き状態に保持される。このシャッター１０の開き状態でねずみが入口９から侵入して踏み板２２を踏むと、この踏圧荷重により踏み板２２は水平軸２３まわりに下方揺動して傾斜する。この傾斜に伴い連結部材２４を介して開きロック部材１７がシャッター１０との係合を解除してアンロック姿勢に切換えられる。このアンロック姿勢に伴いシャッター１０が閉じ用ばね１２または自重で自動的に閉じられ、ねずみは捕獲箱１内に捕獲される。
【０００９】
開きロック部材１７は常にロック姿勢に付勢される開きロック用ばね２１を備えているので、シャッター１０を開き位置に確実に停止保持できる。従って、ねずみにより捕獲箱１が揺振られるようなことがあっても、シャッター１０は不用意に閉まることがなく、捕獲態勢を維持し続ける。開きロック部材１７のアンロックによりシャッター１０は閉じ用ばね１２による閉じ付勢力で確実に閉じられるため、捕獲箱１内に捕獲したねずみを逃がすことは無くなる。
【００１０】
ねずみは捕獲箱１内に捕獲されると必死で何処かに逃げようとする習性がある。従って、捕獲箱１に閉止板３１付きのねずみ収納ケース２７を装着しておくと、捕獲箱１内に捕まったねずみはねずみ収納ケース２７の中に逃げ込んで閉じ込められる。このように収納ケース２７に閉じ込められたねずみは手で触ることなく、収納ケース２７ごと捕獲箱１から取り外すことができるため、捕獲後のねずみをねずみ収納ケース２７ごと簡単かつ迅速に廃棄処理できる。
【００１１】
【発明の実施の形態】
（第１実施例）
図１ないし図３は本発明に係るねずみ捕獲器の第１実施例を示す。図１はねずみの入口を開けた状態で示す透視図、図２はその縦断側面図である。各図において、捕獲箱１は上面板２、底面板３、左右の側面板４・５、前面板６、後面板７の六面体からなり、各面板２・３・４・５・６・７の材料は金属板、金網、プラスチック板、木板、紙、布などの単一材、またはこれらの二種以上を組み合わせてなる。
【００１２】
捕獲箱１には、ねずみの入口９と、これを開閉するシャッター１０とを備える。図示例では上面板２の後半部に入口９を設け、この入口９の前側開口縁にシャッター１０を軸１１まわりに前後回動自在に備えている。シャッター１０は入口９を閉じる姿勢（図２の二点鎖線状態）と、上面板２の前半部の上側に重なる開き姿勢（図２の実線状態）とにわたって軸１１まわりに回動可能であるが、軸１１上に巻装した閉じ用ばね１２によって常に閉じ勝手に付勢されている。上面板２の入口９の後側開口縁部には、板ばね等による閉じロック部材１３を設置し、この閉じロック部材１３にシャッター１０の回動先端側の端縁の一部を係脱自在に係合させることで、シャッター１０の閉じ状態が保持される。
【００１３】
シャッター１０の回動先端側の上面には、ロック孔１４を有する係合突起１５が備えられている。その係合突起１５は、シャッター１０の開き動作に伴い上面板２の前半部に設けた開口１６に入り、上面板２の前半部の内面側に取り付けた開きロック部材１７に係合することで、シャッター１０を開き姿勢にロックする。その開きロック部材１７は、先端にフック部１７ａを有する揺動レバーからなり、上面板２の内面側に固定した支持板１９に支軸２０まわりに前後揺動自在に支持される。そして、開きロック部材１７は、この開きロック部材１７の支軸２０より後方の端部と支持板１９との間に掛けた引張ばね等による開きロック用ばね２１の引張作用によりフック部１７ａが常に前方へ揺動付勢するように設置されている。
【００１４】
捕獲箱１の内部の底面板３上には、踏み板２２が入口９の下方に対向するよう配備されている。この踏み板２２は底面板３上に水平軸２３まわりに上下揺動自在に片持ち支持されている。踏み板２２と前記開きロック部材１７とは連結部材２４で連結されている。連結部材２４は、踏み板２２上に直立状態に溶接固定されたＬ形の連結杆２５と、この連結杆２５の上端部と開きロック部材１７の先端側とを連結した鎖等による可撓性部材２６とからなる。
【００１５】
前記開きロック用ばね２１のばね圧は、開きロック部材１７のロック姿勢を保持できるとともに、開きロック部材１７と連結部材２４による牽引作用を介して踏み板２２を水平姿勢（図２の実線状態）に保持できるように設定する。そして、体重２００〜３００ｇのくまねずみやどぶねずみはもとより、１５〜４０ｇのはつかねずみをも捕獲できるように、踏み板２２にその軽量側の体重に対応する１５〜４０ｇの重量がかかると、踏み板２２は水平軸２３まわりに下方揺動して傾斜し（図２の二点鎖線状態）、この傾斜に伴い開きロック部材１７が連結部材２４による牽引作用を介してアンロック姿勢方向へ開きロック用ばね２１のばね力に抗し支軸２０まわりに揺動するように設定する。
【００１６】
餌は捕獲箱１の内部の踏み板２２の上面以外の箇所に、一種または二種以上のものをばら蒔いて置く。踏み板２２の上に餌を置かない理由は、例えば餌としてリンゴを踏み板２２の上に置いておくと日時が経つにつれてリンゴが乾燥して減量変化し、この変化に伴い開きロック用ばね２１の上記ばね圧設定に狂いが生じるからであり、これを解消するためにねずみの体重のみに対応させている。
【００１７】
いま、ねずみ取りに際し、シャッター１０を開けて係合突起１５を開口１６に挿入すると、係合突起１５の先端が開きロック部材１７の先端に当接しながら下降し、この当接作用により一旦開きロック部材１７が開きロック用ばね２１の力に抗してアンロック方向に回動する。この回動により、係合突起１５のロック孔１４が丁度フック部１７ａに達すると、フック部１７ａがロック孔１４に嵌まり込む。この嵌まり込みによりシャッター１０の開きロック状態が得られる。この開きロック状態は、開きロック用ばね２１の引張作用によって確実に保持することができる。従って、ねずみが警戒感を抱いて捕獲箱１を揺振ったり、押し動かすようなことが行われても、シャッター１０が不用意に閉じるおそれがない。
【００１８】
ねずみが捕獲箱１内の餌を食べるために開放状態の入口９から侵入し、踏み板２２の上に足を掛けたり、乗ったりすると、踏み板２２はねずみの体重で揺動先端側を底面板３上に当接するまで水平軸２３まわりに傾斜する。この傾斜に伴い開きロック部材１７が連結部材２４の牽引力を受けてアンロック方向に回動し、フック部１７ａがロック孔１４から外れる。すると、シャッター１０は閉じ用ばね１２のばね力により閉じ方向に回動して入口９を閉じる。この閉じ過程でシャッター１０の回動先端側の端縁の一部が閉じロック部材１３に係合し、この閉じ状態が保持される。
【００１９】
捕獲箱１の内部には、更にねずみ収納ケース２７を出し入れ可能に配備することにより、捕獲箱１内に侵入したねずみをこの収納ケース２７内に閉じ込めることもできるようにして処理の便宜を図っている。ねずみ収納ケース２７は、図３に示すごとく筒長手方向一端に入口２９を開口した横筒状のケース本体３０と、入口２９内に備えた閉止板３１とからなる。ケース本体３０はジュース缶などの空き缶を利用して形成することができ、リサイクルに寄与できる。入口２９内において、閉止板３１は固定側端３１ａが高く、自由側端３１ｂが低くなる傾斜姿勢で入口２９内を閉じるよう配備するとともに、ケース本体３０に対し固定側端３１ａを軸３２まわりに上下回動自在に枢支連結している。従って、ねずみは、入口２９の外側から閉止板３１を押し開いてケース本体３０内に侵入することができるが、一旦侵入してしまうと、閉止板３１は自重で下方回動して元の傾斜姿勢に閉じてしまうため、ねずみは逃げることができない仕組みになっている。なお、閉止板３１には、図２に示すように、ケース本体３０内に置く餌を入口２９の外側から見やすくし、また餌の匂いを外へ放出するための複数個の孔３３が設けられている。
【００２０】
このねずみ収納ケース２７は、捕獲箱１内において踏み板２２による仕掛けに支障を来すことのない場所に配備する。図示例では、ねずみ収納ケース２７は開きロック部材１７の下方で、前面板６と踏み板２２との間に配備している。その際、ねずみ収納ケース２７の入口側端と側面板５との間には、ねずみが通るだけの間隔が設けられる。ねずみ収納ケース２７に閉じ込めたねずみは、ねずみ収納ケース２７ごと廃棄処理されるが、この場合、ねずみ収納ケース２７は、捕獲箱１の入口９から出し入れするか、または別に前面板６の一部６ａに取出口３４を設け、この取出口３４から出し入れするようにすることもできる。
【００２１】
（第２実施例）
図４ないし図６は本発明に係るねずみ捕獲器の第２実施例を示す。図４はねずみの入口を開けた状態で示す透視図、図５は内部平面図、図６はねずみ収納ケースの入口部の斜視図である。この第２実施例では、ねずみの入口９は捕獲箱１の垂直な前面板６に設けていること、シャッター１０はスライド開閉式を採用していること、その他に連結部材２４の一部構成などが、第１実施例のものと異なっている。
【００２２】
すなわち、この第２実施例では、捕獲箱１の前面板６に入口９を設け、この入口９をシャッター１０で開閉する。シャッター１０は、前面板６の内側の上下に平行に敷設したガイドレール３５・３６に沿って左右方向にスライド自在であり、かつ、常に引張ばね等による閉じ用ばね１２によって入口９を閉じる方向にスライド付勢されている。シャッター１０の内面側には、横断面半円形もしくはこれに近似する形状の係合突起１５を縦方向に備えていて、この係合突起１５が前面板６の内面の左端側に取り付けた開きロック部材１７に係合することで開き姿勢にロックされる。開きロック部材１７は、先端にロック爪１７ｂを有する揺動レバーからなり、前面板６の内面側に水平に固定した支持板１９に支軸２０まわりに前後揺動自在に支持される。そして、この開きロック部材１７は、支軸２０より後方の端部と前面板６との間に介装したＵ字形の板ばね等による開きロック用ばね２１のばね作用によってロック爪１７ｂが常に前面板６の方向へ揺動付勢されるように設置されている。開きロック用ばね２１の両端は、開きロック部材１７の後端部および前面板６の内面側にそれぞれリベット等で一体的に結合することによって、それら開きロック部材１７と前面板６から離脱しないようにする。
【００２３】
係合突起１５は横断面半円形もしくはこれに近似する形状に形成していること、開きロック部材１７のロック爪１７ｂの先端は丸みを付けた形状に形成していることとが相まって、シャッター１０の全開により係合突起１５が、ロック爪１７ｂの先端に当接し、この当接作用で、一旦、開きロック部材１７を開きロック用ばね２１に抗してアンロック方向へ押し動かしながらロック爪１７ｂの先端をスムーズに乗り越えて、該ロック爪１７ｂと係合するようになっている。
【００２４】
捕獲箱１の内部の底面板３上には、踏み板２２を水平軸２３まわりに上下揺動自在に片持ち支持している。この踏み板２２の水平軸２３の一端には、連結部材２４の一部を構成する直立部２３ａを一体に屈曲形成し、この直立部２３ａと開きロック部材１７の先端側とを鎖等による可撓性部材２６で連結している。前記開きロック用ばね２１のばね力は、開き状態にあるシャッター１０の係合突起１５に開きロック部材１７のロック爪１７ｂが係合する開きロック姿勢が保持されるとともに、開きロック部材１７と連結部材２４による牽引作用を介して踏み板２２が水平姿勢（図４に示す状態）に保持されるように設定する。そして、踏み板２２にねずみの体重（はつかねずみの体重１５〜４０ｇ程度）がかかると、踏み板２２は水平軸２３まわりに下方揺動して傾斜し、この傾斜に伴い開きロック部材１７が連結部材２４による牽引作用を介してアンロック姿勢方向へ開きロック用ばね２１のばね力に抗し支軸２０まわりに揺動するように設定される。
【００２５】
この第２実施例においても、シャッター１０の開き状態は開きロック用ばね２１の作用によって確実に保持されるので、ねずみが捕獲箱１を揺振ったり、押し動かしても、シャッター１０が不用意に閉じるおそれがない。
ねずみが開放状態の入口９から侵入し、踏み板２２の上に足を掛けたり、乗ったりすると、踏み板２２はねずみの荷重により傾斜し、この傾斜に伴い開きロック部材１７が連結部材２４の牽引力を受けてアンロック方向に回動し、ロック爪１７ｂが係合突起１５から外れる。すると、シャッター１０は閉じ用ばね１２の力により閉じ方向にスライドして入口９を閉じ、ねずみを捕獲箱１内に捕獲できる。
【００２６】
捕獲箱１は上面板２を開閉自在とし、この開閉に伴いねずみ収納ケース２７を出し入れ可能に収容する。この第２実施例の場合、ねずみ収納ケース２７は、これとは別体の蓋３７によって開閉される入口２９を有する有底筒状に形成しており、その入口２９にまでねずみを誘導するねずみ誘導筒３９をねずみ収納ケース２７に並べて配置している。ねずみ誘導筒３９は一端に入口４０を、他端の一側に出口４１を有していて、この出口４１をねずみ収納ケース２７の入口２９と連通するよう配備する。ねずみ誘導筒３９の入口４０には、図３に示すものと同様に入口９の外側のみから押し開き可能な閉止板４２を軸４３まわりに上下回動自在に枢支連結する。従って、ねずみは、ねずみ誘導筒３９の入口４０から閉止板４２を押し開いて誘導筒３９内に入ることができるが、一旦入ってしまうと、閉止板４２は自重で下方回動して元の傾斜姿勢に閉じてしまうため、ねずみは出ることができず、その出口４１からねずみ収納ケース２７の内部へ誘導捕獲される。ねずみの入ったねずみ収納ケース２７は蓋３７を閉じたうえで、上面板２を開けることにより当該箇所から取り出して処理することができる。
【００２７】
このようにねずみ収納ケース２７とは別にねずみ誘導筒３９を設置し、このねずみ誘導筒３９に入口４０の外側のみから押し開き可能な閉止板４２を備えておくと、ねずみ収納ケース２７には閉止板４２を備えないで済む。このため、ジュース缶などの空き缶に殆ど加工を加えないでそのまま収納ケース２７に再使用することができるし、またねずみ収納ケース２７ごとねずみを処理することができる。ただ、空き缶を利用する場合も、ねずみ収納ケース２７の入口２９には、図６に示すごとく入口２９に連通する孔１５６を有しかつ蓋挿入スリット５７を一側に開口した蓋装着ガイド５８を外嵌固定し、その蓋挿入スリット５７から蓋３７を差込み可能にしておけば、蓋３７の閉じ操作が容易に行える。なお、ねずみ誘導筒３９はトンネル状の長いものに形成し、これの一端の入口４０は捕獲箱１の内部に位置させるが、他端の出口４１は捕獲箱１より離れた場所に位置させて、捕獲箱１より離れた場所に配置するねずみ収納ケース２７の入口２９を該ねずみ誘導筒３９の出口４１に連通させることもできる。
【００２８】
（第３実施例）
図７は本発明に係るねずみ捕獲器の第３実施例を示す。この第３実施例は、第１実施例および第２実施例とは、開きロック部材１７でシャッター１０を開き状態に保持する手段が異なっており、その他の構成はほぼ同様である。この第３実施例では、捕獲箱１の上面板２に入口９を設け、この入口９を開閉するシャッター１０を捕獲箱１の入口９の内側に軸１１まわりに回動自在に設ける。シャッター１０は軸１１上に巻装した閉じ用ばね１２で常に閉じ方向に回動付勢している。シャッター１０の後方に対応する一側面板上には、ロック爪１７ｂを上端に有する開きロック部材１７を支軸２０まわりに前後揺動自在に支持する。
【００２９】
開きロック部材１７の前側には、開きロック部材１７の前後揺動角を規制するためのストッパーＳを配設する。このストッパーＳは、開きロック部材１７のロック爪１７ｂの前方への揺動角を規制する第１ストッパーＳ１と、ロック爪１７ｂの後方への揺動角を規制する第２ストッパーＳ２とを上下に備えている。開きロック部材１７は、この開きロック部材１７の支軸２０より上部が第１ストッパーＳ１に当接するまで、開きロック部材１７の支軸２０より下方の端部が開きロック用ばね２１によって常に後方へ引っ張られている。開きロック部材１７の支軸２０より下方の端部と、捕獲箱１の底面板３上の踏み板２２とは、第１実施例の場合と同様に連結杆２５と可撓性部材２６とからなる連結部材２４で連結されている。
【００３０】
かくして、ねずみの捕獲に先立って、シャッター１０を閉じ用ばね１２の力に抗して下方へ押して開き回動すると、シャッター１０の軸１１より後方へ延設したアーム片１０ａの後端がロック爪１７ｂの下縁に当接し、この当接作用に伴い開きロック部材１７が一旦ロック爪１７ｂを後方へ揺動し、アーム片１０ａの後端がロック爪１７ｂの下縁から上縁へ移るや否や開きロック用ばね２１で開きロック部材１７が第１ストッパーＳ１に当接するまで前方へ揺動する。この開きロック部材１７の前方揺動位置でアーム片１０ａの後端がロック爪１７ｂの上で支持されてシャッター１０が開き状態に保持される。その際、閉じ用ばね１２の力でアーム片１０ａの後端がロック爪１７ｂの上に対し押し付けられるので、シャッター１０の開き状態が確実に保持される。
【００３１】
踏み板２２上にねずみが乗った場合には、踏み板２２の傾斜に伴い開きロック部材１７が連結部材２４の牽引力を受けてロック爪１７ｂを後方へ揺動し、ロック爪１７ｂがアーム片１０ａから外れる。すると、シャッター１０は閉じ用ばね１２のばね力により閉じ方向に回動して入口９を閉じる。
【００３５】
図８および図９は、上記ねずみ収納ケース２７の変形実施例を示す。このねずみ収納ケース２７は、ケース本体３０を四角形の筒状に形成し、このケース本体３０の一端にねずみの入口２９を、一側面にねずみ取出口４４をそれぞれ設ける。入口２９には図３に示すねずみ収納ケース２７の閉止板３１と同じ機能をもつ閉止板３１を備え、ねずみ取出口４４は蓋４５で開閉自在とする。蓋４５は一端をケース本体３０にヒンジ４６を介して回動自在に枢支連結し、他端にファスナー４７を取り付ける。ファスナー４７は、蓋４５側に矩形孔４９ａを有する錠片４９を軸５０まわりに回動自在に取り付け、ケース本体３０に矩形孔４９ａに抜き差し可能な締付環５１を軸５２まわりに旋回自在に取り付けてなる。締付環５１は、軸５２まわりに旋回させて矩形孔４９ａの長手方向と直交させる抜け止め状態に停止させることで、蓋４５を閉じ状態に保持できる。ケース本体３０の入口２９とは反対側の他端には金網５９を設ける。
【００３６】
このねずみ収納ケース２７に捕獲したねずみを取り出すときは、締付環５１を矩形孔４９ａの長手方向と一致する角度に旋回操作することで、矩形孔４９ａから抜き出すことができ、この抜き出しにより蓋４５を開けてねずみ取出口４４からねずみを手で触ることなく放出することができる。
【００３７】
ケース本体３０内にねずみを捕獲してから処理するまでの間に、入口２９が不用意に開くことのないように閉止板３１を閉じロックするための安全ロック機構を備える。この安全ロック機構は、閉止板３１の上端に係合片３１ｃを連設し、この係合片３１ｃをケース本体３０の上壁に設けた孔５３から突出させる一方、ケース本体３０の上壁に軸５４まわりに回動自在に備えたロック片５５の先端のフック部５５ａを、前記係合片３１ｃの突出端に係脱自在に係合させている。尤も、このねずみ収納ケース２７を捕獲箱１内に入れて使用するときは、ロック片５５のフック部５５ａを前記係合片３１ｃから外しておくことは言うまでもない。
【００３８】
ねずみ収納ケース２７は、捕獲箱１の内部に出し入れ可能に装着するに代えて、図１０に示すように捕獲箱１の外部に着脱自在に装着することが、ねずみ収納ケース２７を捕獲箱１の外部から簡易に着脱することができ、また捕獲ねずみをねずみ収納ケース２７ごと処理し易い点で好ましい。
【００３９】
図１０に示す実施例では、捕獲箱１の一側面板に凹所５６を外向き開放状に設け、この凹所５６にねずみ収納ケース２７を出し入れ自在としている。凹所５６の上壁５７には、ねずみが通れる大きさの連通口５８を設け、この連通口５８で捕獲箱１の内部と凹所５６の内部とを連通する。ねずみ収納ケース２７はこれの上端面に入口２９を開口し、この入口２９に上記形態と同じ押し開き可能な閉止板３１を備えている。ねずみ収納ケース２７は入口２９が連通口５８に臨むように凹所５６内に装着される。この場合、ねずみ収納ケース２７の底側に、入口２９を有する上端側に被せることのできるキャップ５９をはめ込んでおくことが望ましい。しかるときは、このねずみ収納ケース２７にねずみを閉じ込めて処理するときに、キャップ５９を底側から外して入口２９を有する上端側に被せて密閉することで、ねずみを不用意に逃がすことなく、またねずみに付着しているノミやダニを移されることなく処理することができる。
【００４０】
捕獲箱１は図示例のような多角形に形成する以外に、鍋の形のように丸筒形状や、ドーム形状、あるいはその他の形状に適宜変更することができる。
【００４１】
【発明の効果】
本発明によれば、シャッター１０の開きロック部材１７を備え、この開きロック部材１７をロック用ばね２１で常にロック姿勢に付勢してあるので、シャッター１０を開き位置に確実に停止保持できる。従って、ねずみにより捕獲箱１がこれの外側から揺振られるようなことがあっても、シャッター１０は不用意に閉まることがなく、捕獲態勢を維持し続けることができて捕獲ロスの減少を図れる利点がある。開きロック部材１７のアンロックによりシャッター１０は閉じ用ばね１２による閉じ付勢力で確実に閉じられるようにしてあるので、捕獲したねずみを逃がすことが無くなる。
捕獲箱１の内部または外部にねずみ収納ケース２７を脱着自在に装着してあるので、捕獲したねずみをねずみ収納ケース２７ごと処理できて取扱い便利である。
【図面の簡単な説明】
【図１】  第１実施例のねずみ捕獲器の透視図である。
【図２】  第１実施例のねずみ捕獲器の縦断側面図である。
【図３】  第１実施例のねずみ捕獲器のねずみ収納ケースを一部破断状態で示す側面図である。
【図４】  第２実施例のねずみ捕獲器の透視図である。
【図５】  第２実施例のねずみ捕獲器の平面図である。
【図６】  第２実施例のねずみ捕獲器に使用するねずみ収納ケースの入口部の斜視図である。
【図７】  第３実施例のねずみ捕獲器の縦断側面図である。
【図８】  ねずみ収納ケースの変形例を示す斜視図である。
【図９】  図８のねずみ収納ケースの断面図である。
【図１０】  ねずみ収納ケースの装着形態の他の実施例を示す斜視図である。
【図１１】  従来例のねずみ捕獲器の要部の縦断側面図である。  
【符号の説明】
１  捕獲箱
９  入口
１０  シャッター
１２  閉じ用ばね
１７  開きロック部材
２０  支軸
２１  開きロック用ばね
２２  踏み板
２３  水平軸
２４  連結部材
２７  ねずみ収納ケース
２９  入口
３１  閉止板
【図１】
0003651826.tif 000002
【図２】
0003651826.tif 000003
【図３】
0003651826.tif 000004
【図４】
0003651826.tif 000005
【図５】
0003651826.tif 000006
【図６】
0003651826.tif 000007
【図７】
0003651826.tif 000008
【図８】
0003651826.tif 000009
【図９】
0003651826.tif 000010
【図１０】
0003651826.tif 000011
【図１１】
0003651826.tif 000012